(57)【要約】【課題】足の裏に横方向アーチを形成する作用と自然な横方向アーチ形成を補助するための締め付け力の付与を行い、かつ通常の衣類と同様に着用することが可能で、しかも患者の足の大きさや形に応じて形成するアーチの高さや形状を用意に調整しうる、外反母趾矯正具を提供する。【解決手段】足の中足骨部周囲に当接する部分を他の部分よりも弾性力が強い部材で構成して前記中足骨部に締付圧力を作用させ、前記中足骨部の足底に当接する部分に横方向アーチ形成部材を設ける。横方向アーチ形成部材はシート状体を積層した構造であり、それぞれの略中央部を縫い付けて固定される。【選択図】図１
0003121864.tif 000002
【実用新案登録請求の範囲】
【請求項１】
足の中足骨部周囲に当接する部分を他の部分よりも弾性力が強い部材で構成して前記中足骨部に締付圧力を作用させる袋状体からなる外反母趾矯正具において、前記中足骨部の足底に当接する部分に横方向アーチ形成部材を設けたことを特徴とする、外反母趾矯正具。
【請求項２】
前記横方向アーチ形成部材は、その厚みが５ｍｍ乃至１５ｍｍであることを特徴とする、請求項１記載の外反母趾矯正具。
【請求項３】
前記横方向アーチ形成部材は、２枚以上のシート状材を積層して形成したことを特徴とする、請求項１または請求項２記載の外反母趾矯正具。
【請求項４】
前記２枚以上のシート状材は、略中央部で外反母趾矯正具に固定されることを特徴とする、請求項３記載の外反母趾矯正具。
【請求項５】
前記２枚以上のシート状材は、それぞれが略中央部で外反母趾矯正具に縫いつけにより取り付けられていることを特徴とする、請求項４記載の外反母趾矯正具。
【請求項６】
前記締付圧力は、１ｋＰａ乃至５ｋＰａであることを特徴とする、請求項１乃至請求項５記載の外反母趾矯正具。
【請求項７】
前記袋状体は、靴下であることを特徴とする、請求項１乃至請求項６記載の外反母趾矯正具。
【請求項８】
前記靴下は、足の第一指が入る第１の袋状部と足の他の指が入る第２の袋状部と足の甲部と足底部を覆う筒状部からなることを特徴とする、請求項１乃至請求項７記載の外反母趾矯正具。
【考案の詳細な説明】
【技術分野】
【０００１】
本考案は、外反母趾を矯正する矯正具に関し、特に足底の正常な横方向アーチの形成を補助する機能を有する靴下状の矯正具に関するものである。
【背景技術】
【０００２】
外反母趾とは、外側に向かって第一指の付け根関節部が突出するように変形する症状であり、近年特に女性の患者が増加している疾患である。外反母趾は物理的な関節の変形として症状が現れたものであるから、これの予防及び治療には矯正具を用いて関節を正常な状態に回復することが効果的であり、近年、さまざまな外反母趾の矯正具が提案されている。
【０００３】
例えば、特開２００１−０９５８２８号公報には、足の中足骨を巾方向に締め付ける弾力性の素材からなる筒状体を備えた外反母趾の矯正具が開示されている。前記矯正具によれば、当該矯正具を着用した患者の足の中足骨を巾方向に締め付ける作用が得られ、これによって足底の横方向アーチが形成されやすくなるという効果が得られる。そして、正常な足底の横方向アーチが形成されることにより、外反母趾は自然に解消するのである。
【０００４】
また、同公報の発明は前記筒状体に足の第一指にかぶせる筒部が設けられ、この筒部によって足の第一指を開かせるという構造も開示されている。これによって、足の第一指が内側に入り込むような状態を解消し、外反母趾を直接的に矯正するという作用をも得ているのである。
【０００５】
しかし、本考案の考案者の研究によれば、足の中足骨を巾方向に締め付けることは正常な足底の横方向アーチの形成に有効であることには間違いないものの、足底の横方向アーチがほとんど無い状態にあっては、中足骨を締め付けるだけでは中足骨が圧迫されるのみで足底の横方向アーチの形成につながりにくい場合がある。
【０００６】
また、患者が足を浮かせているなど、足底にまったく力がかからない状況において中足骨の巾方向の締め付けによってある程度のアーチが形成される場合であっても、患者が直立したり歩行していたりする場合などのように足底に体重がかかる状況では、前記のとおり中足骨の巾方向の締め付けが足底の横方向アーチの形成につながりにくくなる場合が発生する。また、矯正具着用直後には横方向アーチが形成された場合でも、時間が経過すると疲労などが原因で横方向アーチを維持できなくなる場合もある。
【０００７】
前記課題は中足骨の巾方向の締め付け力を強くすることである程度解消するものの、過度の締め付け力は矯正具の使用者である患者に不快感を与えてしまい、矯正具の日常的な使用を困難にする。外反母趾の治癒には長時間を要することが少なくないため、良好な装用感の実現は外反母趾矯正具にとって大きな課題である。
【０００８】
また、足の第一指を外側に開かせることは、症状として現れている外反母趾を見かけ上改善し、確かに患者の正常な歩行を容易にする場合もある。しかしながら、本考案の考案者の研究によれば、外反母趾は足底の正常なアーチが喪失していることが原因で顕在化している症状である。従って、正常な足底の横方向アーチの喪失という原因を除去せずに足の第一指を外側に開かせたとしても、その効果は表面的なものであり、根本的な外反母趾の治癒にはつながり難いものである。
【０００９】
足の第一指を外側に開かせることのできる矯正具は、例えば特開２００１−０４０５０６号公報にも記載されている。これは、靴下に外反母趾防止材を備えたものであり、装用時に足の第一指と中指の間に前記外反母趾防止材が挟まるように製作されるというものである。
【００１０】
同公報記載の発明は、靴下という日常的に違和感無く装用可能な衣類でありながら、足の第一指を外側に開かせるという効果が得られるものであり、患者にとって非常に利用しやすいものである。しかしながら、正常な足底の横方向アーチという原因を除去せずに足の第一指を外側に開かせたとしても、根本的な外反母趾の治癒にはつながり難いという課題は先に説明したとおりである。
【００１１】
一方、特開２００１−２６２４０５号公報には、足の中足骨を巾方向に締め付けることによって足底の横方向アーチを形成しようとする発明が開示されている。これは、靴下の一部に弾性力が強い部材を使用して、中足骨部に締め付け力を発生するものである。
【００１２】
同公報記載の発明は、特開２００１−０４０５０６号公報に記載された発明と同様に、靴下という日常的に違和感無く装用可能な衣類でありながら同時に矯正具としての効果を奏するものであるから、患者にとって非常に利用しやすいものである。また、中足骨を巾方向に締め付けることで足底の正常な横方向アーチを形成し、もって外反母趾の防止及び治癒につなげようとするものであるから、その効果は表面的なものにとどまらないと期待される。
【００１３】
しかしながら、足底の横方向アーチがほとんど無い状態や、あるいは歩行中など足底に体重がかかる状態にあっては、中足骨を締め付けるだけでは中足骨が圧迫されるのみで足底の横方向アーチの形成につながりにくいという課題は先に説明したとおりである。
【００１４】
ところで、特開２００２−０６５７１２号公報には、足の爪先からほぼ中央部までを覆う薄くて伸縮性の強い生地からなる袋状体の底部分にポケット部を設け、ここに弾性体を収納してなる外反母趾矯正具が開示されている。同公報記載の発明によれば、矯正具装用時に足底の中足骨部が持ち上げられることによって、足底の横方向アーチが形成される。正常な足底の横方向アーチが形成されることにより、外反母趾の防止及び治癒が期待される。
【００１５】
同発明によれば、患者の足に横方向アーチ形成力がほとんど無い場合であっても、袋状体底部分に設けられた弾性体によって足底の中足骨部が持ち上げられ、確実に横方向アーチが形成される。また、矯正具装用後長時間を経過し、患者が疲労した場合においてもなお横方向アーチを維持することができる。
【００１６】
しかしながら、各患者に適した横方向アーチを形成するためには弾性体の位置や高さの微調整が必要である。弾性体を削るなどして整形すればある程度の調整は可能ではあるが、三次元的な弾性体の加工は困難であり、また弾性体の大きさを小さくすると袋状体の底部分のポケット部内で弾性体が動いてしまい、適切な位置を維持することが難しくなるという課題もある。中足骨下部の適切な位置から弾性体がずれてしまうと、外反母趾の矯正効果が十分に得られないばかりか、弾性体の位置によっては足底に痛みを発生することも懸念される。
【００１７】
また、外反母趾の症状の軽減だけでなく治療の補助を期待する上では、足の横方向アーチを袋状体底部分に設けられた弾性体によって患者の足底の中足骨部を持ち上げることによって形成するだけではなく、同時に中足骨部を巾方向に締め付ける機能を有していることが望ましく、前記公報開示の発明の機能だけでは十分とはいえない。
【特許文献１】特開２００１−０９５８２８号公報
【特許文献２】特開２００１−０４０５０６号公報
【特許文献３】特開２００１−２６２４０５号公報
【特許文献４】特開２００２−０６５７１２号公報
【考案の開示】
【考案が解決しようとする課題】
【００１８】
本考案は以上説明したような問題点を解決するためになされたものである。すなわち、足の裏に横方向アーチを形成する作用と、自然な横方向アーチ形成を補助するための締め付け力の付与を行い、かつ通常の衣類と同様に着用することが可能で、しかも患者の足の大きさや形に応じて形成するアーチの高さや形状を容易に調整しうる、外反母趾防止矯正具を提供することを課題としている。
【課題を解決するための手段】
【００１９】
前記課題を解決するため、本考案の第１の課題解決手段においては、足の中足骨部周囲に当接する部分を他の部分よりも弾性力が強い部材で構成して前記中足骨部に締付圧力を作用させる袋状体からなる外反母趾矯正具において、前記中足骨部の足底に当接する部分に横方向アーチ形成部材を設けたことを特徴とする、外反母趾矯正具としている。
【００２０】
本考案の第２の課題解決手段においては、前記横方向アーチ形成部材は、その厚みが５ｍｍ乃至１５ｍｍであることを特徴とする、外反母趾矯正具としている。
【００２１】
本考案の第３の課題解決手段においては、前記横方向アーチ形成部材は、２枚以上のシート状材を積層して形成したことを特徴とする、外反母趾矯正具としている。
【００２２】
本考案の第４の課題解決手段においては、前記シート状材は、略中央部で外反母趾矯正具に固定されることを特徴とする、外反母趾矯正具としている。
【００２３】
本考案の第５の課題解決手段においては、前記シート状材はそれぞれが略中央部で外反母趾矯正具に縫いつけられて取り付けられていることを特徴とする、外反母趾矯正具としている。
【００２４】
本考案の第６の課題解決手段においては、前記締付圧力は、１ｋＰａ乃至５ｋＰａであることを特徴とする、外反母趾矯正具としている。
【００２５】
本考案の第７の課題解決手段においては、前記袋状体は、靴下であることを特徴とする、外反母趾矯正具としている。
【００２６】
本考案の第８の課題解決手段においては、前記靴下は、足の第一指が入る第１の袋状部と足の他の指が入る第２の袋状部と足の甲部と足底部を覆う筒状部からなることを特徴とする、外反母趾矯正具としている。
【考案の効果】
【００２７】
本考案の第１の課題解決手段に係る外反母趾矯正具においては、足の中足骨部周囲に当接する部分を他の部分よりも弾性力が強い部材で構成した袋状体からなる外反母趾矯正具において、前記中足骨部の足底に当接する部分に横方向アーチ形成部材を設けたので、前記外反母趾矯正具の装用者の足底の中足骨部中央が横方向アーチ形成部材の厚みだけ持ち上げられることになり、装用者の足底に正常な横方向アーチが形成される。この横方向アーチ形成部材の働きは、装用者の足の横方向アーチ形成力や疲労状態に関わらず足底に常に一定の横方向アーチを形成するものであるから、患者の状態に左右されずに安定して外反母趾の防止または治療補助効果を得ることができる。
【００２８】
また、このように正常な横方向アーチを形成させた上で、前記弾性力が強い部材によって装用者の足の中足骨に締付圧力を作用させることができるので、患者の足の中足骨の緩みを自然な状態で矯正する作用が得られる。さらに、横方向アーチ形成部材の作用で正常な横方向アーチを形成させた状態であれば、中足骨に作用させる締付圧力を過度に高く設定する必要が無くなり、本外反母趾矯正具は過度の圧迫を感じることのない装用感の良いものを実現できる。これにより、長期間を要することの少なくない外反母趾の矯正中に患者が外反母趾矯正具を日常的に快適に使用することが可能となる。
【００２９】
なお、横方向アーチ形成部材は中足骨の足の巾方向の中央部付近に設けると良いが、横方向アーチ形成部材の大きさとの兼ね合いで、種子骨に横方向アーチ形成部材がかからないようにすることが好ましい。横方向アーチ形成部材が種子骨を圧迫すると、患者が痛みを感じるなど、外反母趾矯正具の装用感が著しく損なわれるからである。
【００３０】
本考案の第２の課題解決手段に係る外反母趾矯正具においては、前記横方向アーチ形成部材の厚みを５ｍｍ乃至１５ｍｍとしたので、外反母趾矯正具の快適な装用感を損なうことなく横方向アーチの形成を行うことができる。つまり、横方向アーチ形成部材の厚みが５ｍｍ未満であると、装用者の足底の中足骨部分を持ち上げる効果が小さすぎて十分な横方向アーチを形成することができない。一方、横方向アーチ形成部材の厚みが１５ｍｍを超えると、装用者の足底に過度の圧迫が加わることとなり、患者が足底に痛みを感じるなど、外反母趾矯正具の装用感が大きく損なわれることとなる。そこで、横方向アーチ形成部材の厚みは５ｍｍ乃至１５ｍｍとすることが好ましいのである。なお、前記範囲の厚みで本考案の効果が得られるが、これを１０ｍｍ乃至１５ｍｍとすると多くの患者にとって適切な高さであることが多くより好ましい。ただし、患者の年齢や外反母趾の程度によっては、前記範囲で厚みを薄めに設定することが適切な場合があるのである。
【００３１】
本考案の第３の課題解決手段に係る外反母趾矯正具においては、前記横方向アーチ形成部材は、２枚以上のシート状材を積層して形成したので、シート状材の大きさと枚数を変更するのみでさまざまな形状・高さの横方向アーチ形成部材を構成できる。つまり、患者の体格や足の形に適したさまざまな形状の横方向アーチ形成部材を容易に実現することができ、本外反母趾矯正具の効果をより高めることが可能になる。さらに、シート状材を積層して外反母趾矯正具を構成する袋状体に固定するだけの簡単な構造であるから製造も容易であり、安価な外反母趾矯正具の提供が可能になる。
【００３２】
シート状材の材質としては、装用者が足底に痛みなどを感じることなく快適に外反母趾矯正具を装用できるよう柔軟性のあるものが好ましい。例えば、シリコンゴムや天然ゴム製のシートや、厚手の布地を使用することができる。また、装用感をより快適なものとするため、シート状材は通気性が良好であることが好ましい。通気性の良い布地であれば当然にこの要件を満足するが、シリコンゴムや天然ゴム製のシートを使用する場合は、これらシートに細かい穴を設けるなどすれば良い。
【００３３】
なお、足底の形状は横方向アーチのみで決まるものではないため、横方向アーチ形成部材の形状は横方向アーチのみではなく足底の自然な形状に近いことが望ましい。このためにシート状材の形状は円形または楕円を含む略円形とし、積層した上部のシート状材になるほどその直径の小さいものを使用すると良い。
【００３４】
本考案の第４の課題解決手段に係る外反母趾矯正具においては、前記シート状材を略中央部で外反母趾矯正具に固定することとしたので、積層されたシート状材の一部を切断することで横方向アーチ形成部材の形状を外反母趾矯正具の装用者が簡単に調整することができる。
【００３５】
すなわち、外反母趾矯正具に当初設けられている横方向アーチ形成部材が装用者にとって大きすぎる場合は、横方向アーチ形成部材を小さく調整できることが望ましいのであるが、積層されたシート状材がその略中央部で外反母趾矯正具に固定されていれば、装用者は固定部の周りのシート状材を鋏等を用いて切り取って、その大きさを容易に調整することができる。またこの際、積層されたシート状材のそれぞれをある一方の周部のみを切り取れば結果として横方向アーチ形成部材の中心位置をずらして取り付ける場合と同様の効果が得られることとなる。このように、積層されたシート状材のそれぞれの切り取り方を変えれば横方向アーチ形成部材の形状を相当程度装着者自身で変更することが可能である。足の横方向アーチ形状には個人差が大きく、当然に横方向アーチ形成部材の最適な形状も各個人によって異なるので、この特徴は外反母趾防止及び治療補助の目的に極めて有効である。
【００３６】
本考案の第５の課題解決手段に係る外反母趾矯正具においては、２枚以上のシート状材を積層するように外反母趾矯正具にそれぞれの略中央部で縫いつけることにより取り付けられているので、最も上部のシート状材から順にこれを取り外すことができる。つまり、外反母趾矯正具に第１のシート状材がその略中央部で縫い付けられており、これの上に第２のシート状材がその略中央部で縫い付けられており、これを繰り返して横方向アーチ形成部材が所望の高さになるように調整されているので、例えば、最上部のシート材の縫い付けに使用されている糸のみを切断することで最上部のシートのみを除去し、他のシート状材はそのままの状態とすることができる。
【００３７】
これにより、シート状材を適当な枚数除去して横方向アーチ形成部材の高さを調整することが可能である。すなわち、すでに説明したとおり、足の横方向アーチ形状には個人差が大きく、当然に横方向アーチ形成部材の最適な高さも各個人によって異なる。横方向アーチ形成部材が高すぎると、患者の足底に痛みを生じるなどの不具合が発生することが懸念され、日常的に使用することが望ましい外反母趾矯正具にとっては大きな不都合である。そこで、外反母趾矯正具の装用者が自ら容易にこの高さを変更可能とすることで外反母趾矯正具の効果を最大に得ることができるのである。
【００３８】
なお、横方向アーチ形成部材の形状や厚みを外反母趾矯正具の装用者自らが調整することを容易にするため、横方向アーチ形成部材を構成するシート状材の厚みは２ｍｍ乃至４ｍｍとすることが好ましい。シート状材の厚みを２ｍｍ未満とすると横方向アーチ形成部材を必要な厚みとするために必要なシート状材の枚数が増えすぎて製造が繁雑になりコスト的にも不利になってしまう。一方、シート状材の厚みが４ｍｍを超えると、シート状材を取り外すことによる横方向アーチ形成部材の高さ調整ピッチが荒くなりすぎて、実質的に高さ調整が不可能になってしまう。よって、シート状材の厚みは２ｍｍ乃至４ｍｍとすることが好ましいのである。
【００３９】
本考案の第６の課題解決手段に係る外反母趾矯正具においては、前記締付圧力を１ｋＰａ乃至５ｋＰａとしたので、外反母趾矯正具の装用感を悪化させること無く装用者の自然な足底の横方向アーチを形成することができる。そもそも、中足骨の締付力が弱すぎると横方向アーチを十分に形成することができないが、中足骨の締付力が強すぎると外反母趾矯正具の装用感が悪化してしまう。本外反母趾矯正具においては、横方向アーチ形成部材の働きで中足骨の締付力が比較的小さくても所望の横方向アーチを形成することが可能であり、適切な締付力を得るためには足の中足骨部周囲に当接する部分の弾性力によって発生する締付圧力を１ｋＰａ乃至５ｋＰａとすればよいことが本考案の考案者の研究により、明らかになっているのである。なお、前記範囲の締付圧力で本考案の効果が得られるが、これを２ｋＰａ乃至４ｋＰａとすると多くの患者にとって適切な締付力であることが多くより好ましい。ただし、患者の年齢や外反母趾の程度によっては、前記範囲で締付力を低目に設定したり、高目に設定したりすることが適切な場合があるのである。
【００４０】
本考案の第７の課題解決手段に係る外反母趾矯正具においては、外反母趾矯正具を構成する袋状体を靴下としたので、通常の衣類を着用するのと同様に日常的に本外反母趾矯正具を装用することが可能であり、外反母趾矯正具の外反母趾防止効果及び治療補助効果を常に発揮できる。
【００４１】
本考案の第８の課題解決手段に係る外反母趾矯正具においては、外反母趾矯正具を構成する靴下が足の第一指が入る袋状部と足の他の指が入る袋状部と足の甲部と足底部を覆う筒状部からなる構成としたので、外反母趾矯正具の装用時に足の第一指が内側に引かれることが無くなり、外反母趾矯正具の外反母趾防止効果及び治療補助効果がより確実なものとなる。
【００４２】
つまり、靴下の着用時には布地の弾性や張力によって足の第一指が内側に引かれる力が生じることがある。これは、外反母趾にとって悪影響を及ぼす恐れのある、好ましくない作用である。そこで、足の第一指と足のほかの指がそれぞれ別の袋状部に入る構成とし、足の第一指が内側に引かれる力が発生しない構成としたのである。これによって、横方向アーチ形成部材による横方向アーチ形成作用と、締付圧力による中足骨の締付作用はより確かなものとなり、外反母趾防止及び治療補助効果が確実に発揮されるのである。
【考案を実施するための最良の形態】
【００４３】
以下、本外反母趾矯正具について、実施例を元に詳細に説明する。
【実施例１】
【００４４】
図１は、本考案に係る外反母趾矯正具の一実施例の説明図である。１は外反母趾矯正具本体であり、足の第一指とその他の指がそれぞれ入る袋状部を備えた靴下形状の袋状体である。外反母趾矯正具本体１は通気性のよい生地、例えば木綿などを使用して作られる。従って、本外反母趾矯正具そのものは一般的に流通している第一指の独立した靴下と外観上変わることなく、日常的に使用することが容易である。また、通気性のよい生地を使用していることなどにより、通常の靴下同様快適に装用することができる。また、保温性などの特徴を有する生地を使用することによってより快適性を高めることができることはいうまでも無い。
【００４５】
外反母趾矯正具本体１のうち、これを足に装用した際に中足骨に当接する部分周辺は、中足骨締付部２が形成されている。中足骨締付部２は弾性の強い材料で作られており、装用時に中足骨に約３ｋＰａの締付圧力を与える。また、足の中足骨に当接する部分付近の底部内側には横方向アーチ形成部材３が設けられている。横方向アーチ形成部材３と中足骨締付部２の働きによって、装用者の足に自然な横方向アーチを形成させる一方、外見上は通常の靴下と特に異なる点が無い構造であり、靴などの着用にも障害とならない。
【００４６】
図２は本外反母趾矯正具の一実施例を説明する断面図である。また、図３は本外反母趾矯正具を真上から観察した様子を図示しており、点線部は外反母趾矯正具本体の輪郭を示している。横方向アーチ形成部材３は、厚み約３ｍｍのシート状材４ａ乃至シート状材４ｃを積層して外反母趾矯正具１に固定した構造である。より具体的には、外反母趾矯正具１の底部に第１のシート状材４ａをその中央付近で縫い付けて固定し、これの上にやや直径の小さな第２のシート状材４ｂをやはりその中央付近で縫い付けて固定し、さらにその上にさらに直径の小さな第３のシート状材４ｃを中央付近で縫い付けて固定してある。このような構造とすることで、自然な足の横方向アーチに近い形状・高さの横方向アーチ形成部材を容易に構成している。
【００４７】
図４は本外反母趾矯正具の横方向アーチ形成部材の形状調整例の説明図である。図３と比較すると、図４のシート状材４ａ乃至シート状材４ｃの左側が切除されており、これによって図３の状態と比較して図４の状態は横方向アーチ形成部材３の左側方向の広がりが少なく急激に高さが低くなる形状になっている。このように、このようにシート状体を適宜鋏等で切除することで、外反母趾矯正具の装用者自らが各人の体格や足の形に適した形状に横方向アーチ形成部材を調整することができるのである。
【００４８】
図５は本外反母趾矯正具の横方向アーチ形成部材の高さ調整例の説明図である。この図も外反母趾矯正具を真上から観察した様子を図示している。同図は図３の状態から、最も上側に縫い付けられていたシート状体４ｃを、シート状体縫付糸５を切断することによって取り外した様子を示している。このようにシート状体を適宜取り外すことで、外反母趾矯正具の装用者が各人の体格や足の形に適した高さに横方向アーチ形成部材の高さを調整することができるのである。また、同図では同時にシート状体４ａ及びシート状体４ｂの一部を切除することによって横方向アーチ形成部材の形状の調整も行っている様子を示している。
【産業上の利用可能性】
【００４９】
以上説明したように、本考案に係る外反母趾矯正具は足の裏にアーチを形成する作用と自然なアーチ形成を補助するための締め付け力の付与を行い、かつ通常の衣類と同様に着用することが可能で、しかも患者の足の大きさや形に応じて形成するアーチの高さや形状を用意に調整しうるきわめて有用なものである。
【図面の簡単な説明】
【００５０】
【図１】本外反母趾矯正具の一実施例を示した説明図である。
【図２】本外反母趾矯正具の一実施例を説明する断面図である。
【図３】本外反母趾矯正具の底面の一実施例を示した説明図である。
【図４】本外反母趾矯正具の横方向アーチ形成部材の形状調整例の説明図である。
【図５】本外反母趾矯正具の横方向アーチ形成部材の高さ調整例の説明図である。
【符号の説明】
【００５１】
１    外反母趾矯正具
２    中足骨締付部
３    横方向アーチ形成部材
４ａ  シート状体（最下層）
４ｂ  シート状体（中間層）
４ｃ  シート状体（最上層）
５    シート状体縫付糸
６    シート状体切取部
【図１】
0003121864.tif 000003
【図２】
0003121864.tif 000004
【図３】
0003121864.tif 000005
【図４】
0003121864.tif 000006
【図５】
0003121864.tif 000007
【手続補正書】
【提出日】平成18年3月18日(2006.3.18)
【手続補正１】
【補正対象書類名】実用新案登録請求の範囲
【補正対象項目名】全文
【補正方法】変更
【補正の内容】
【実用新案登録請求の範囲】
【請求項１】
足の中足骨部周囲に当接する部分を他の部分よりも弾性力が強い部材で構成して前記中足骨部に締付圧力を作用させる袋状体からなる外反母趾矯正具において、前記中足骨部の足底に当接する部分に横方向アーチ形成部材を設けたことを特徴とする、外反母趾矯正具。
【請求項２】
前記横方向アーチ形成部材は、その厚みが５ｍｍ乃至１５ｍｍであることを特徴とする、請求項１記載の外反母趾矯正具。
【請求項３】
前記横方向アーチ形成部材は、２枚以上のシート状材を積層して形成したことを特徴とする、請求項１または請求項２記載の外反母趾矯正具。
【請求項４】
前記２枚以上のシート状材は、略中央部で外反母趾矯正具に固定されることを特徴とする、請求項３記載の外反母趾矯正具。
【請求項５】
前記２枚以上のシート状材は、それぞれが略中央部で外反母趾矯正具に縫いつけにより取り付けられていることを特徴とする、請求項４記載の外反母趾矯正具。
【請求項６】
前記締付圧力は、１ｋＰａ乃至５ｋＰａであることを特徴とする、請求項１乃至請求項５のいずれか一項に記載の外反母趾矯正具。
【請求項７】
前記袋状体は、靴下であることを特徴とする、請求項１乃至請求項６のいずれか一項に記載の外反母趾矯正具。
【請求項８】
前記靴下は、足の第一指が入る第１の袋状部と足の他の指が入る第２の袋状部と足の甲部と足底部を覆う筒状部からなることを特徴とする、請求項１乃至請求項７のいずれか一項に記載の外反母趾矯正具。